(57)【特許請求の範囲】
【請求項１】
多数の空気吸引口を全面にわたって備えた位置変更自在なフィルム吸着体と、空気吸引駆動部とを設けて、フィルム取り出し位置で前記フィルム吸着体によって偏光フィルムを吸着し、フィルム供給位置に移送するよう構成してあるフィルム移送装置であって、前記多数の空気吸引口のうち、吸着対象の偏光フィルムに対向する空気吸引口の開放を許す空気吸引口開放許容部と、残りの空気吸引口を閉塞する空気吸引口閉塞部とを備えたフィルム吸着補助具を前記フィルム吸着体に着脱自在に設けてあるフィルム移送装置。
【請求項２】
多数の空気吸引口を全面にわたって備えた位置変更自在なフィルム吸着体と、空気吸引駆動部とを備えたフィルム移送装置が偏光フィルムを吸着するのを補助するフィルム吸着補助具であって、前記フィルム吸着体の多数の空気吸引口のうち、吸着対象の偏光フィルムに対向する空気吸引口の開放を許す空気吸引口開放許容部と、残りの空気吸引口を閉塞する空気吸引口閉塞部とを設けるとともに、前記フィルム吸着体に着脱自在に構成してあるフィルム吸着補助具。
【請求項３】
樹脂製の段ボールに前記空気吸引口開放許容部と空気吸引口閉塞部を設け、前記空気吸引口開放許容部は、前記樹脂製の段ボールに多数の貫通孔を形成して構成してある請求項２記載のフィルム吸着補助具。
【請求項４】
前記樹脂製の段ボールの一方の面に、吸着対象の偏光フィルムと同一輪郭の開口を形成したフィルムを貼着し、この開口に対応する段ボール部分により前記空気吸引口開放許容部を構成し、フィルムが貼着された残りの段ボール部分により前記空気吸引口閉塞部を構成してある請求項３に記載のフィルム吸着補助具。
【請求項５】
前記フィルム吸着補助具は、樹脂製の段ボールに前記空気吸引口開放許容部と空気吸引口閉塞部を設け、前記空気吸引口開放許容部は、前記樹脂製の段ボールに多数の貫通孔を形成して構成してある請求項１記載のフィルム移送装置。
【請求項６】
前記フィルム吸着補助具は、前記樹脂製の段ボールの一方の面に、吸着対象の偏光フィルムと同一輪郭の開口を形成したフィルムを貼着し、この開口に対応する段ボール部分により前記空気吸引口開放許容部を構成し、フィルムが貼着された残りの段ボール部分により前記空気吸引口閉塞部を構成してある請求項５に記載のフィルム移送装置。
【発明の詳細な説明】
【０００１】
【発明の属する技術分野】
本発明は、多数の空気吸引口を備えた位置変更自在なフィルム吸着体と、空気吸引駆動部とを設けて、フィルム取り出し位置で前記フィルム吸着体によってフィルムを吸着し、フィルム供給位置に移送するよう構成してあるフィルム移送装置、及びこのフィルム移送装置に対するフィルム吸着補助具に関する。
【０００２】
【従来の技術】
この種のフィルム移送装置では、形状の異なる複数のフィルム（例えば偏光フィルム等の光学機能性フィルム）の移送に各別に対応できるように構成してあり、ある形状のフィルムを吸着する場合と、別の形状のフィルムを吸着する場合とでは、フィルムに対向する空気吸引口群のパターンが異なる。
【０００３】
そのために、フィルムを吸着するに当たっては、吸着対象のフィルムの輪郭（複数のフィルムから成るフィルム群の場合は、フィルム群の全体の輪郭、以下「フィルムの輪郭」と称する）の外側にある空気吸引口を塞いで、フィルムに吸着力が加わるようにしなければならない。
【０００４】
従来、フィルムの外側にある空気吸引口を塞ぐのに、各形状のフィルムごとに、フィルム移送装置のフィルム吸着体にその下方側から粘着テープを貼着していた。
【０００５】
【発明が解決しようとする課題】
上記従来の構成によれば、フィルムの外側にある空気吸引口を塞ぐのに、各形状のフィルムごとに、フィルム吸着体に粘着テープをその下方側から貼着していたために、貼着作業姿勢が窮屈な姿勢になって作業がしにくいだけでなく、別の形状のフィルムの移送にとりかかるたびに、テープの剥離・貼着作業が必要で、フィルム移送装置を移送作動させるための準備作業に手間と時間がかかっていた。
【０００６】
本発明の目的は、フィルム移送装置を移送作動させるための準備作業を簡単、かつ、短時間で行うことができるようにする点にある。
【０００７】
【課題を解決するための手段】
請求項１による発明の構成・作用・効果は次の通りである。
【０００８】
［構成］多数の空気吸引口を全面にわたって備えた位置変更自在なフィルム吸着体と、空気吸引駆動部とを設けて、フィルム取り出し位置で前記フィルム吸着体によって偏光フィルムを吸着し、フィルム供給位置に移送するよう構成してあるフィルム移送装置であって、前記多数の空気吸引口のうち、吸着対象の偏光フィルムに対向する空気吸引口の開放を許す空気吸引口開放許容部と、残りの空気吸引口を閉塞する空気吸引口閉塞部とを備えたフィルム吸着補助具を前記フィルム吸着体に着脱自在に設けてある。
【０００９】
［作用］
上記のフィルム吸着補助具をフィルム吸着体に装着すると、空気吸引口開放許容部の作用によって、前記多数の空気吸引口のうち、吸着対象のフィルム（複数のフィルムから成るフィルム群の場合は、フィルム群の全体の輪郭、以下「フィルムの輪郭」と称する）に対向する空気吸引口は開放したままであるが、残りの空気吸引口が空気吸引口閉塞部によって閉塞される。
【００１０】
これにより、空気吸引駆動部を吸引作動させることでフィルムに吸着力がかかり、フィルムを吸着することができるようになる。
【００１１】
前記フィルムの移送を終えて、前記フィルムとは別の形状のフィルムを移送する場合は、フィルム吸着補助具をフィルム吸着体から取り外し、別の形状のフィルムに対応した別のフィルム吸着補助具をフィルム吸着体に装着して吸着作動させる。
【００１２】
このように、フィルムの外側にある空気吸引口を塞ぐのに、フィルム吸着補助具をフィルム吸着体に着脱するだけで済む。
【００１３】
また、上記のフィルム吸着補助具は繰り返し用いることができる。
【００１４】
［効果］
従って、フィルム移送装置を移送作動させるための準備作業を簡単、かつ、短時間で行うことができるようになった。
【００１５】
請求項２による発明の構成・作用・効果は次の通りである。
【００１６】
［構成］多数の空気吸引口を全面にわたって備えた位置変更自在なフィルム吸着体と、空気吸引駆動部とを備えたフィルム移送装置が偏光フィルムを吸着するのを補助するフィルム吸着補助具であって、前記フィルム吸着体の多数の空気吸引口のうち、吸着対象の偏光フィルムに対向する空気吸引口の開放を許す空気吸引口開放許容部と、残りの空気吸引口を閉塞する空気吸引口閉塞部とを設けるとともに、前記フィルム吸着体に着脱自在に構成してある。
【００１７】
［作用］
上記のフィルム吸着具を用いることで、請求項１の構成による作用と同様の作用を奏することができる。
【００１８】
［効果］
従って、上記のフィルム吸着具を用いることで、請求項１の構成による効果と同様の効果を奏することができるようになった。
【００１９】
請求項３による発明の構成・作用・効果は次の通りである。
【００２０】
［構成］
請求項２による発明の構成において、樹脂製の段ボールに前記空気吸引口開放許容部と空気吸引口閉塞部を設け、前記空気吸引口開放許容部は、前記樹脂製の段ボールに多数の貫通孔を形成して構成してある。
【００２１】
［作用］
請求項２の構成による作用と同様の作用を奏することができるのに加え、強度を確保でき、軽量化でき、安価に構成することができる。
【００２２】
［効果］
従って、請求項２の構成による効果と同様の効果を得やすくなるとともに、製作コストを低廉化することができた。
【００２３】
【発明の実施の形態】
以下、本発明の実施の形態を図面に基づいて説明する。
【００２４】
図１，図２に、１枚の広い偏光フィルム１を多数枚の小さな偏光フィルムにトムソン刃２でせん断するフィルム切断装置３と、このフィルム切断装置３に偏光フィルム１を供給・取り出し移送するフィルム移送装置４とを示してある。
【００２５】
図４（図４は図１におけるＢ−Ｂ視図である）に示すように、前記フィルム切断装置３のトムソン刃２は、多数枚の切断刃５を平面視で斜め格子状に組み付けて構成してある。
【００２６】
前記フィルム移送装置４は、多数の空気吸引口６を全面にわたって備えた位置変更自在な四角形のフィルム吸着板７（フィルム吸着体に相当、図３参照、図３はフィルム吸着板７を下方から見た図である）を、縦軸芯Ｏ周り及び昇降自在に支持フレーム９に支持させ、空気吸引駆動部８を設けて、フィルム取り出し位置でフィルム吸着板７によって偏光フィルム１を吸着し、フィルム供給位置に移送するよう構成してある。
【００２７】
ところで前記フィルム吸着板７によって、ある形状の偏光フィルム１を吸着する場合と、別の形状の偏光フィルム１を吸着する場合とでは、偏光フィルム１に対向する空気吸引口群のパターンが異なる。
【００２８】
そのために、偏光フィルム１を吸着するに当たっては、吸着対象の偏光フィルム１の輪郭の外側にある空気吸引口６を塞いで、偏光フィルム１に吸着力が加わるようにしなければならない。
【００２９】
そこで、図１，図５に示すように、前記フィルム吸着板７の多数の空気吸引口６のうち、吸着対象の偏光フィルム１に対向する空気吸引口６（すなわち、図５における太線Ｌで囲まれた領域内の空気吸引口）の開放を許す空気吸引口開放許容部１０と、残りの空気吸引口６を閉塞する空気吸引口閉塞部１１とを備えたフィルム吸着補助具１２を、フィルム吸着板７に着脱自在に設けてある。
【００３０】
前記フィルム吸着補助具１２は、形状の異なる複数の偏光フィルム１の形状に合わせて、複数個、準備してあり、これらのうちから一つのフィルム吸着補助具１２を選択して、フィルム吸着板７に装着する。
【００３１】
前記フィルム吸着補助具１２について詳述すると、図６に示すように、フィルム吸着板７と同じ大きさの四角形の樹脂製の段ボール１３（１４００ｍｍ×１４００ｍｍ）に、全面にわたって縦横１０ｍｍのピッチで多数の貫通孔１７を形成し、吸着対象の偏光フィルム１と同一輪郭の開口１８を形成した厚さ７５μｍのＰＥＴフィルム１４を段ボール１３の一方の面に貼着するとともに、他方の面にポリプロ製のテーブルクロス下敷きマット１５を貼着してある。
【００３２】
前記テーブルクロス下敷きマット１５は、全面に直径が１ｍｍの孔が開いた網目状のもので、トムソン刃２の切断によって偏光フィルム１からはみ出した糊の付着を防止し、異物の吸引を防止し、偏光フィルム１に打痕がつくのを防止する。
【００３３】
前記ＰＥＴフィルム１４の開口１８と、この開口１８に対応するから段ボール部分とで前記空気吸引口開放許容部１０を構成し、ＰＥＴフィルム１４と、このＰＥＴフィルム１４が貼着された残りの段ボール部分とで前記空気吸引口閉塞部１１を構成している。
【００３４】
フィルム吸着補助具１２をフィルム吸着板７に着脱自在に構成するに、フィルム吸着板７の下面の幅方向両端側に、断面コの状の一対のガイドレール（図示せず）を、前記幅方向と直交する方向（長手方向）に沿う状態に設け、フィルム吸着板７に対するフィルム吸着補助具１２の位置決め機構（図示せず）を設けてある。
【００３５】
上記の構造により、フィルム吸着補助具１２のＰＥＴフィルム１４側を上にした状態で、そのフィルム吸着補助具１２の幅方向両端部を、一対のガイドレールに対してスライド移動させることでフィルム吸着板７に重ならせ、フィルム吸着補助具１２とフィルム吸着板７の間を空気洩れしないようにシールする。
【００３６】
これにより、前記多数の空気吸引口６のうち、吸着対象の偏光フィルム１に対向する空気吸引口６は開放したままであるが、残りの空気吸引口６が空気吸引口閉塞部１１によって閉塞される。
【００３７】
この状態で、空気吸引駆動部８によって空気を吸引することで偏光フィルム１に吸着力がかかり、偏光フィルム１を吸着することができる。
【００３８】
前記偏光フィルム１の移送を終えて、この偏光フィルム１とは別の形状の偏光フィルム１を移送する場合は、フィルム吸着補助具１２をフィルム吸着板７から取り外し、別の形状の偏光フィルム１に対応した別のフィルム吸着補助具１２をフィルム吸着板７に装着して吸着作動させる。
【００３９】
［別実施形態］
樹脂製の段ボール１３に、全面にわたって多数の貫通孔１７を形成することなく、吸着対象の偏光フィルム１と同一輪郭の範囲内の段ボール１３部分にだけ多数の貫通孔１７を形成した構造であってもよい。
【００４０】
前記樹脂製の段ボール１３に換えて、金属板に多数の貫通孔１７を形成してフィルム吸着補助具１２を構成してあってもよい。
【００４１】
上記の実施形態で挙げた数値は一例であり、別の数値であってもよい。
【００４２】
前記ＰＥＴフィルム１４の厚さは、例えば５０μ〜１００μの範囲内の厚さであってもよい。
【００４３】
前記フィルム吸着板７で吸着するフィルムは、偏光フィルムに限られるものではなく、他の光学機能性フィルム、又は、光学機能性フィルム以外のフィルムであってもよい。
【図面の簡単な説明】
【図１】フィルム切断装置とフィルム移送装置を示す正面図
【図２】フィルム切断装置とフィルム移送装置を示す平面図
【図３】吸着板の吸着面を示す図
【図４】図１におけるＢ−Ｂ視図
【図５】フィルム吸着補助具を示す図
【図６】フィルム吸着補助具の分解図
【符号の説明】
１      フィルム
６      空気吸引口
７      フィルム吸着体
１０      空気吸引口開放許容部
１１      空気吸引口閉塞部
１２      フィルム吸着補助具
１３      樹脂製の段ボール
１７      貫通孔
【図１】
0004471527.tif 000002
【図２】
0004471527.tif 000003
【図３】
0004471527.tif 000004
【図４】
0004471527.tif 000005
【図５】
0004471527.tif 000006
【図６】
0004471527.tif 000007